(57)【特許請求の範囲】
【請求項１】
縦形手動ポンプ付き容器の外容器部分に交換用の内容器として収納されるためのレフィル容器であって、
底板３外周から起立する胴部４の上端から、肩部５を介して胴部に比して肉厚として剛性を高めた口頸部６を起立する薄肉容器体２と、
該容器体口頸部内面へ固嵌めさせた上端筒部12から筒部16を垂下させ、該筒部下端面を上記底板３の上面へ当接ないし近接させて設けた吸上げ筒兼用支柱11とで形成し、該支柱の下端部には液体吸込み口17を形成し、
上記吸上げ筒兼用支柱11の上端筒部12を、上方筒部を下外方へ折り返した内外二重筒状部に形成して、この二重筒状部内に上記縦形手動ポンプの下部を嵌合できるように設けると共に、その二重筒状部が形成する内筒部13と外筒部14との間隙内へ、薄肉容器体２の口頸部６を固嵌めさせた
ことを特徴とするレフイル容器。
【請求項２】
底壁23外周から周壁24を起立する、周壁上端面開口の剛性容器体22と、
上記周壁の上方一部に枢着29されて、該枢着部分を中心とする回動で周壁の上端開口面を開閉する、縦形手動ポンプ41付きの蓋部材26と、
上記剛性容器体の周壁24内へ着脱自在に嵌合させた、上記請求項１記載のレフイル容器１とからなり、
上記枢着29を中心とする回動により蓋部材26で周壁上端開口面を閉塞させたとき、該蓋部材に付設されて、蓋部材頂板27下方へ突設された、縦形手動ポンプの下面開口のシリンダ43の下部外面が、上記吸上げ筒兼用支柱11の上端筒部12内面へ気密に嵌合可能に形成した
ことを特徴とする、縦形手動ポンプ付き容器。
【請求項３】
上記縦形手動ポンプ41を、蓋部材頂板27から起立させた口頸部30外面へ、縦形手動ポンプが有する装着筒42を、該ポンプが有する下端面開口のシリンダ43を口頸部30内へ挿通させて、螺合させると共に、シリンダ43の下面からはカッター46を垂下させて形成しておき、
又上記レフイル容器の吸上げ筒兼用支柱の上端開口面をシール材18で密閉しておき、
上記縦形手動ポンプ41の装着筒42を、蓋部材口頸部30に対して螺脱ないし螺上昇させた状態から、枢着29を中心とする回動で蓋部材26が周壁24上端開口面を閉塞可能となし、又該閉塞状態から装着筒42を口頸部外面に沿って螺降させることで、カッター46がシール材18を破断し、かつシリンダ43の下部外面が吸上げ筒兼用支柱11の上部内面へ気密に嵌合可能に形成した
ことを特徴とする、請求項２記載の縦形手動ポンプ付き容器。
【発明の詳細な説明】
【０００１】
【発明の属する技術分野】
本発明は、レフイル容器と該容器を内容器とする縦形手動ポンプ付き容器に関する。
【０００２】
【従来の技術】
近時省資源の観点から、例えばトリガー式或いは縦形手動式等ポンプの容器内液体詰め替え用として、レフイル容器が用いられている。
【０００３】
【発明が解決しようとする課題】
そのレフイル容器は、詰め替え用であるから出来るだけ薄肉でかつ安価に製作可能であることが望ましいが、少なくとも使用に適する剛性を必要とする。
【０００４】
本発明の第１の主目的は上記ポンプに用いられる吸上げパイプをポンプから垂設することに代えて支柱兼用としてレフイル容器に装着させ、レフイル容器が必要とする剛性を吸上げパイプ兼用支柱により補強することでレフイル容器の薄肉化を高めると共にポンプのシリンダから吸上げパイプを除くことであり、又第２の主要目的は、上記吸上げパイプ兼用支柱を有するレフイル容器を、交換可能な内容器として使用する縦形手動ポンプ付き容器を提案するものである。
【０００５】
【課題を解決するための手段】
第１の手段として、縦形手動ポンプ付き容器の外容器部分に交換用の内容器として収納されるためのレフィル容器であって、
底板３外周から起立する胴部４の上端から、肩部５を介して胴部に比して肉厚として剛性を高めた口頸部６を起立する薄肉容器体２と、
該容器体口頸部内面へ固嵌めさせた上端筒部12から筒部16を垂下させ、該筒部下端面を上記底板３の上面へ当接ないし近接させて設けた吸上げ筒兼用支柱11とで形成し、該支柱の下端部には液体吸込み口17を形成し、
上記吸上げ筒兼用支柱11の上端筒部12を、上方筒部を下外方へ折り返した内外二重筒状部に形成して、この二重筒状部内に上記縦形手動ポンプの下部を嵌合できるように設けると共に、その二重筒状部が形成する内筒部13と外筒部14との間隙内へ、薄肉容器体２の口頸部６を固嵌めさせた。
【０００７】
第２の手段として、底壁23外周から周壁24を起立する、周壁上端面開口の剛性容器体22と、
上記周壁の上方一部に枢着29されて、該枢着部分を中心とする回動で周壁の上端開口面を開閉する、縦形手動ポンプ41付きの蓋部材26と、
上記剛性容器体の周壁24内へ着脱自在に嵌合させた、上記第１の手段記載のレフイル容器１とからなり、
上記枢着29を中心とする回動により蓋部材26で周壁上端開口面を閉塞させたとき、該蓋部材に付設されて、蓋部材頂板27下方へ突設された、縦形手動ポンプの下面開口のシリンダ43の下部外面が、上記吸上げ筒兼用支柱11の上端筒部12内面へ気密に嵌合可能に形成した。
【０００８】
第３の手段として、上記第２の手段を有すると共に上記縦形手動ポンプ41を、蓋部材頂板27から起立させた口頸部30外面へ、縦形手動ポンプが有する装着筒42を、該ポンプが有する下端面開口のシリンダ43を口頸部30内へ挿通させて、螺合させると共に、シリンダ43の下面からはカッター46を垂下させて形成しておき、
又上記レフイル容器の吸上げ筒兼用支柱の上端開口面をシール材18で密閉しておき、
上記縦形手動ポンプ41の装着筒42を、蓋部材口頸部30に対して螺脱ないし螺上昇させた状態から、枢着29を中心とする回動で蓋部材26が周壁24上端開口面を閉塞可能となし、又該閉塞状態から装着筒42を口頸部外面に沿って螺降させることで、カッター46がシール材18を破断し、かつシリンダ43の下部外面が吸上げ筒兼用支柱11の上部内面へ気密に嵌合可能に形成した。
【０００９】
【発明の実施の形態】
以下図面について説明すると、１は本発明のレフイル容器である。該容器は合成樹脂製の薄肉容器体と吸上げ筒兼用支柱とからなる。
【００１０】
薄肉容器体２は、底板３外周から胴部４を起立し、かつ該胴部上端から肩部５を介して口頸部６を起立する。底板２および口頸部６は胴部および肩部に比して肉厚に形成して剛性を高めることが望ましい。胴部３および肩部４は弾性を有していてもよく、又弾性に乏しくて可撓性に富み、容器体内減圧により収縮可能であってもよい。尚弾性壁とした場合は、口頸部の内外面に外気吸入路形成用溝を連結させて設けるとよい。
【００１１】
吸上げ筒兼用支柱11は、上端筒部12を図示例において下面開口の内外二重筒状とし、かつ内筒部13と外筒部14との間へ、上記口頸部６を、下方への抜落ちが不能に嵌合させている。該抜落ち防止のためには口頸部６外面と外筒部14内面とにそれぞれ係合突条を設けて係合させるとよい。内筒部13下端からは内向きフランジ15を介して内筒部よりも小径とした筒部16を垂下させており、該筒部下端は薄肉容器体２の底板３上面へ当接させているが、その下端一部は切欠く等して容器体内液体を吸込むための吸込み口17に形成している。
【００１２】
図示例にあっては上記上端筒部12を除く下方筒部分を小外径としたが、同径としてもよく、又上端筒部は、上方筒部分を下外方へ折返した形状の内外二重筒状としたが、上端筒部12に対して口頸部６が抜落ち不能であれば二重筒状でなくても差支えない。又吸上げ筒兼用支柱11下端は底板３上面へ近接させるだけでもよい。
【００１３】
吸上げ筒兼用支柱11の上端開口面は、シール材18で密閉するか、又別に設けたキャップを嵌合させる等する。
【００１４】
図２は、既述レフイル容器１を交換用の内容器として使用している、縦形手動ポンプ付き容器21を示す。
【００１５】
該容器は、剛性容器体と蓋部材とからなる外容器と、蓋部材に付設した縦形手動ポンプと、既述レフイル容器とからなる。
【００１６】
剛性容器体22は、底壁23外周から周壁24を起立させて形成する。周壁上端面は開口させており、その上端一部外面には軸受け25を付設している。
【００１７】
蓋部材26は、頂板27外周から、上記周壁上端面上へ載置させる蓋周壁28を垂下し、該蓋周壁下端一部に付設した軸受けと上記容器体周壁に付設した軸受けとにピンを挿通させて共に枢着29させている。又頂板中央部からは口頸部30を起立させ、該口頸部外面へ、縦形手動ポンプ41が有する装着筒42を、上記口頸部30内へ縦形手動ポンプが有する下面を開口するシリンダ43を挿通させて、螺合させている。尚該縦形手動ポンプ41は広く一般に使用されている周知のものであるため簡単に説明すると、シリンダ43上端からは外向きフランジを介して上記装着筒42を垂下させると共に、シリンダ43内からは上方付勢させて、ノズル44付きの押下げヘッド45を上端に有する作動部材を起立させ、該作動部材の上下動で容器体内液体がシリンダ内へ吸込みされ、かつ該シリンダ内液体が作動部材が有するステム内を通りノズル44から噴出可能に設けられている。尚図示例ではポンプ不使用時、作動部材下部が付勢に抗してシリンダ内へ押込みされて該下限位置を保つよう設けられており、ポンプ使用時には作動部材を上限まで上昇させることが可能としたポンプを示している。シリンダ43は下部を小径部とし、かつその小径部下端からは、適宜形状のカッター46を垂設している。小径部下端面は開口させており、吸込み液体はカッター側方を通ってシリンダ内へ吸込み可能としている。
【００１８】
既述枢着29と対向する蓋周壁下端部分からは、係合板兼用の弾性把手片31を垂下させており、蓋部材閉塞時にその弾性把手片31が剛性容器体周壁24の上部外面へ圧接して閉蓋状態を保持し、その弾性把手片下端の外方弯曲部押上げによって上記枢着29を中心として蓋部材が回動して開蓋する。
【００１９】
既述レフイル容器１は剛性容器体22内へ着脱自在に嵌合させる。該レフイル容器は、蓋部材26閉塞によってシリンダ43の下部外面が吸上げ筒兼用支柱11の上端筒部12内面へ気密に嵌合可能とする。
【００２０】
該レフイル容器使用の際、既述シール材18は予め剥離してもよいが、剥離しない場合はカッター46によって破断できるよう設けておく。
【００２１】
シール材18の破断および吸上げ筒兼用支柱上端筒部12内へのシリンダ下部外面の気密な嵌合は次のようにして行ってもよい。即ち、閉蓋に先だち予め縦形手動ポンプ41を、蓋部材の口頸部30から螺脱ないし螺上昇させておき、閉蓋後に口頸部30に螺合させて該口頸部に対して縦形手動ポンプ41を螺降させ、該螺降によりカッター46でシール材18を破断させると共に、シリンダ下部外面を、吸上げ筒兼用支柱11の上端筒部12内面へ気密に嵌合させる。
【００２２】
図２が示す縦形手動ポンプ付き容器21使用の際は、まず作動部材上端の押下げヘッド45をシリンダ上端部から外して付勢により上昇させ、該状態から押下げヘッドを介して作動部材を上下動させる。該上下動により吸上げ筒兼用支柱11内は負圧化し、該負圧化により吸込み口17を介して薄肉容器体２内の液体がシリンダ43内へ吸込みされ、又該シリンダ内液体はノズル44から噴出される。薄肉容器体２内の液体減少につれて、薄肉容器体の胴部４および肩部５を可撓性に富む薄肉壁で形成した場合は、それ等周壁および肩部が容器体内負圧化によって次第に収縮することとなり、又弾性に富む薄肉壁とした場合は、薄肉容器体口頸部６の内外面に縦設した溝と内外二重筒との間等に形成した空気取り入れ通路を通る等して剛性容器体22と蓋部材26とが形成する外容器内空気が薄肉容器体内へ入って薄肉容器体内の負圧化が防止される。
【００２３】
薄肉容器体内液体が無くなった後、図３が示すように枢着29を中心として蓋部材26を開き、レフイル容器１を交換すればよい。
【００２４】
【発明の効果】
本発明は既述構成とするものであり、請求項１記載の場合は、薄肉容器体２の口頸部６内面へ固嵌めさせた上端筒部12から筒部16を垂下させ、該筒部下端を薄肉容器体底板３の上面へ当接ないし近接させた吸上げ筒兼用支柱11を設けたから、該支柱が薄肉容器の剛性を補強することとなり、よって薄肉容器を更に薄肉化できることとなる。又上記支柱は吸上げ筒を兼用するから、該支柱が吸上げパイプの機能を果たすこととなり、該レフイル容器を使用するポンプのシリンダ下端からは吸上げパイプを垂下させなくてよく、よってレフイル容器からポンプを取外す際に、シリンダと共に吸上げパイプを抜出したり、又その容器へのポンプ取付時にシリンダ下端から垂下する吸上げパイプをレフイル容器内へ挿入したりする不便がない。
【００２５】
また請求項１のようにすることで、薄肉容器体口頸部に対する吸上げ筒兼用支柱上端部の固嵌めを確実に出来る。
【００２６】
請求項２のようにすることで、通常シリンダ下端から垂下させる吸上げパイプを不要とすることが出来、よって縦形手動ポンプ付きの蓋部材26を、枢着29を中心として回動させるだけで開閉蓋でき、内容器としてのレフイル容器の交換が可能となる。
【００２７】
請求項３のようにすることで、吸上げ筒兼用支柱上端開口面を密閉するシール材18の破断および上記支柱上端筒部12内面へのシリンダ下部外面の気密な嵌合を確実かつ容易に行うことが出来る。
【図面の簡単な説明】
【図１】  本発明レフイル容器の半断面図である。
【図２】  レフイル容器を内容器と使用している縦形手動ポンプ付き容器の半断面図である。
【図３】  蓋部材を開蓋して示す、縦形手動ポンプ付き容器の半断面図である。
【符号の説明】
１…レフイル容器            ２…薄肉容器体
11…吸上げ筒兼用支柱        21…縦形手動ポンプ付き容器
22…剛性容器体              26…蓋部材
41…縦形手動ポンプ          43…シリンダ
【図１】
0003980276.tif 000002
【図２】
0003980276.tif 000003
【図３】
0003980276.tif 000004